(57)【特許請求の範囲】
【請求項１】
長尺建物ユニットと短尺建物ユニットとを組み合わせた居室部の上部に屋根部を載置する建物の屋根取り付け構造であって、
前記居室部は、長尺建物ユニット及び短尺建物ユニットが重複する部分の整列継ぎ部と、該短尺建物ユニットから前記長尺建物ユニットが突出した部分の妻セットバック部とを有し、該妻セットバック部には、該妻セットバック部の上部に設置される屋根部を支持する補助梁が設けられていることを特徴とする建物の屋根取り付け構造。
【請求項２】
前記補助梁は、長尺建物ユニットの妻セットバック部の軒先側フレーム部材と平行に沿って、前記短尺建物ユニットの軒先側フレーム部材と略同一延長線上に位置するように、予め該長尺建物ユニットの天井面部に設けられていることを特徴とする請求項１記載の建物の屋根取り付け構造。
【請求項３】
前記屋根部は、前記整列継ぎ部の上部に配設される屋根ユニットと、前記妻セットバック部の上部に配設される屋根ユニットとを組み合わせて構成されることを特徴とする請求項１記載の建物の屋根取り付け構造。
【請求項４】
前記屋根部は、前記整列継ぎ部の上部に配設される屋根パネルユニットと、前記妻セットバック部の上部に配設される屋根パネルユニットとを組み合わせて構成されることを特徴とする請求項１記載の建物の屋根取り付け構造。
【請求項５】
長尺建物ユニットと短尺建物ユニットとを隣接して載置し、長尺建物ユニットと短尺建物ユニットとが重複する部分の整列継ぎ部の上部に、整列側屋根部を載置して固定すると共に、該短尺建物ユニットから前記長尺建物ユニットが突出した部分の妻セットバック部の上部に、妻側屋根部を載置して固定して、前記整列側屋根部及び該妻側屋根部間を雨仕舞することを特徴とする建物の屋根取り付け施工方法。
【発明の詳細な説明】
【０００１】
【発明の属する技術分野】
この発明は、主に、住宅等のユニット建物に用いられる建物の屋根取り付け構造及びその施工方法に関するものである。
【０００２】
【従来の技術】
従来のこの種の建物の屋根取り付け構造及びその施工方法としては、例えば、図３に示す特公昭６４−７１７６号公報に記載されている様な玄関ポーチの屋根構造が知られている。
【０００３】
このようなものでは、一階と二階との外壁パネル１，１間には、断面コ字状の胴差し２が取り付けてあり、胴差し２の屋外側には水平片８と垂直片９とからなるＬ型の取り付けプレート１０の水平片８先端部が固定してある。
この胴差し２は、横材１１，縦材１２，斜材６，及び取付材１３からなるトラス３が固定されている。このトラス３下部には、枠状の屋根フレーム４の一端部を固定すると共に、屋根フレーム４の他端部を、玄関ポーチに立設した柱５の上端部に固定し、トラス３の斜材６から屋根フレーム４上に渡って屋根パネル７…を取り付けている。
【０００４】
また、図４は、長手方向の長さを同一長さとする建物ユニット１４…を隣接して載置したいわゆる整列継ぎにて構成されたユニット建物１５を示している。
【０００５】
このユニット建物１５では、予め矩形プランに対応するように工場組立された屋根ユニット１６を、前記建物ユニット１４…にて構成される居室部１７の上部に載置して固定することにより構成されている。
【０００６】
【発明が解決しようとする課題】
しかしながら、前記予め矩形プランに対応するように工場組立された屋根ユニット１６では、図５に示す様な長尺状の長尺建物ユニット１８，１８と短尺状の短尺建物ユニット１９とを組み合わせた変形居室部２０の上部に載置して固着し、建物を構成する事は困難であった。
【０００７】
例えば、図３に示すような玄関ポーチ部２１では、柱５を立てて、屋根フレーム４上に、トラス３を組み屋根パネル７を配設することが出来るが、施工に所定の時間が必要とされてしまうといった問題があった。
【０００８】
このため、短尺建物ユニット１９から前記長尺建物ユニット１８が突出した部分の妻セットバック部２２では、棟上げを他の長尺建物ユニット１８，１８及び短尺建物ユニット１９が重複する部分の整列継ぎ部２３と、同日に行なう必要があるので、前記玄関ポーチ部２１等と略同様に構成するものでは、雨仕舞が完了するまで、一日では終わらない虞があった。
【０００９】
そこで、この発明は、施工時間が短く、略一日で雨仕舞まで完了することが出来、しかも、従来から用いられている矩形プランに対応する屋根部を使用して変形プランにも対応出来る建物の屋根取り付け構造及びその施工方法を提供することを課題としている。
【００１０】
【課題を解決するための手段】
前記課題を解決するため本願発明の請求項１に記載されたものでは、長尺建物ユニットと短尺建物ユニットとを組み合わせた居室部の上部に屋根部を載置する建物の屋根取り付け構造であって、
前記居室部は、長尺建物ユニット及び短尺建物ユニットが重複する部分の整列継ぎ部と、該短尺建物ユニットから前記長尺建物ユニットが突出した部分の妻セットバック部とを有し、該妻セットバック部には、該妻セットバック部の上部に設置される屋根部を支持する補助梁が設けられている建物の屋根取り付け構造を特徴としている。
【００１１】
このように構成された請求項１記載のものでは、妻セットバック部に設けられている補助梁が、該妻セットバック部の上部に設置される屋根部を支持する。
【００１２】
このため、妻セットバック部の上部に設置される屋根部を、整列継ぎ部の上部に設置される屋根部と独立させて設置する事が出来るので、施工時間が短く、略一日で雨仕舞まで完了することが出来、しかも、従来から用いられている矩形プランに対応する屋根部を使用して、変形プランに対応させることも出来る。
【００１３】
また、請求項２に記載されたものでは、前記補助梁は、長尺建物ユニットの妻セットバック部の軒先側フレーム部材と平行に沿って、前記短尺建物ユニットの軒先側フレーム部材と略同一延長線上に位置するように、予め該長尺建物ユニットの天井面部に設けられている請求項１記載の建物の屋根取り付け構造を特徴としている。
【００１４】
このように構成された請求項２記載のものでは、前記補助梁が、予め該長尺建物ユニットの天井面部に設けられている。このため、施工現場では、各建物ユニット配設後、直ちに、屋根部の載置を行なうことが出来るので、更に施工時間を短縮することが出来る。
【００１５】
しかも、前記補助梁は、長尺建物ユニットの妻セットバック部の軒先側フレーム部材と平行に沿って、前記短尺建物ユニットの軒先側フレーム部材と略同一延長線上に位置するように、設けられているので、該長尺建物ユニットの天井面が、屋根部の荷重に充分耐える剛性を与えられて、従来から用いられている矩形プランに対応する屋根部が所定の重量を有していても、載置、固定できる。
【００１６】
そして、請求項３に記載されたものでは、前記屋根部は、前記整列継ぎ部の上部に配設される屋根ユニットと、前記妻セットバック部の上部に配設される屋根ユニットとを組み合わせて構成される請求項１記載の建物の屋根取り付け構造を特徴としている。
【００１７】
このように構成された請求項３記載のものでは、前記屋根部が、前記整列継ぎ部の上部に配設される屋根ユニットと、前記妻セットバック部の上部に配設される屋根ユニットとを組み合わせて構成されているので、施工現場まで、独立して運搬して、載置後、雨仕舞を行なうことにより構成出来、運搬効率が良好である。
【００１８】
また、請求項４に記載されたものでは、前記屋根部は、前記整列継ぎ部の上部に配設される屋根パネルユニットと、前記妻セットバック部の上部に配設される屋根パネルユニットとを組み合わせて構成される請求項１記載の建物の屋根取り付け構造を特徴としている。
【００１９】
このように構成された請求項４記載のものでは、前記屋根部が、前記整列継ぎ部の上部に配設される屋根パネルユニットと、前記妻セットバック部の上部に配設される屋根パネルユニットとを組み合わせて構成されているので、施工現場まで、独立して運搬して、載置後、雨仕舞を行なうことにより構成出来、運搬効率が良好である。
【００２０】
更に、請求項５に記載されたものでは、長尺建物ユニットと短尺建物ユニットとを隣接して載置し、長尺建物ユニットと短尺建物ユニットとが重複する部分の整列継ぎ部の上部に、整列側屋根部を載置して固定すると共に、該短尺建物ユニットから前記長尺建物ユニットが突出した部分の妻セットバック部の上部に、妻側屋根部を載置して固定して、前記整列側屋根部及び該妻側屋根部間を雨仕舞する建物の屋根取り付け施工方法を特徴としている。
【００２１】
このように構成された請求項５に記載されたものでは、長尺状の長尺建物ユニットと短尺状の短尺建物ユニットとを隣接して載置し、長尺建物ユニットと短尺建物ユニットとが重複する部分の整列継ぎ部の上部に、整列側屋根部を載置して固定すると共に、該短尺建物ユニットから前記長尺建物ユニットが突出した部分の妻セットバック部の上部に、妻側屋根部を載置して固定して、前記整列側屋根部及び該妻側屋根部間を雨仕舞することにより、棟上げが略完了する。
【００２２】
このため、施工時間が短く、略一日で雨仕舞まで完了することが出来る。
【００２３】
【発明の実施の形態１】
以下、本発明の具体的な実施の形態について、図面を参照しつつ説明する。
【００２４】
図１乃至図２は、この発明の実施の形態１を示すものである。なお、前記従来例と同一乃至均等な部分については、同一符号を付して説明する。
【００２５】
まず、構成を説明すると、長尺状の長尺建物ユニット１８，１８と短尺状の短尺建物ユニット１９とを組み合わせた変形居室部２０の上部に屋根部２４を載置する建物の屋根取り付け構造である。
【００２６】
前記変形居室部２０は、長尺建物ユニット１８，１８及び短尺建物ユニット１９が重複する部分の整列継ぎ部２３と、この短尺建物ユニット１９から前記長尺建物ユニット１８が突出した部分の妻セットバック部２２とを有している。
【００２７】
この妻セットバック部２２には、この妻セットバック部２２の上部に設置される屋根部２４を支持する補助梁２５，２５が設けられている。
【００２８】
この補助梁２５は、長尺建物ユニット１８の妻セットバック部２２の軒先側フレーム部材１８ａ，１８ａと平行に沿って、しかも、前記短尺建物ユニット１９の軒先側フレーム部材１９ａと略同一延長線上に位置するように、予め長尺建物ユニット１８の天井面部１８ｂに設けられている。
【００２９】
また、前記屋根部２４は、前記整列継ぎ部２３の上部に配設される大切妻屋根ユニット２６，２６と、前記妻セットバック部２２の上部に配設される小切妻屋根ユニット２７，２７或は台形屋根ユニット２８，２８とを組み合わせて構成されている。
【００３０】
次に、この実施の形態１の作用について、施工順序に沿って説明する。
【００３１】
まず、工場にて、前記長尺建物ユニット１８，１８を作製する際に、予め、前記補助梁２５，２５が、長尺建物ユニット１８の妻セットバック部２２の軒先側フレーム部材１８ａ，１８ａと平行に沿って、しかも、ユニット設置状態で、前記短尺建物ユニット１９の軒先側フレーム部材１９ａと略同一延長線上に位置するように、予め長尺建物ユニット１８の天井面部１８ｂに設けられる。
【００３２】
そして、これらの各建物ユニット１８，１９及び小切妻屋根ユニット２７，２７或は台形屋根ユニット２８，２８は、施工現場に搬送されて、予め構築されている基礎上に長尺状の長尺建物ユニット１８，１８と短尺状の短尺建物ユニット１９とが隣接されて載置される（図２中（ａ）参照）。
【００３３】
まず、図２中（ａ）〜（ｃ）を用いて切り妻屋根プランを説明すると、図２中（ｂ）に示すように、長尺建物ユニット１８，１８と短尺建物ユニット１９とが重複する部分の整列継ぎ部２３の上部に、整列側屋根部としての前記大切妻屋根ユニット２６，２６が載置されて固定される。
【００３４】
また、短尺建物ユニット１９から前記長尺建物ユニット１８，１８が突出した部分の妻セットバック部２２の上部に、切妻屋根プランを構成する妻側屋根部としての小切妻屋根ユニット２７，２７が吊り上げられて載置されて、前記補助梁２５，２５上に固定される。
【００３５】
更に図２中（ｃ）に示すように、前記大切妻屋根ユニット２６，２６及び小切妻屋根ユニット２７，２７間が雨仕舞されて、棟上げが略完了する。
【００３６】
また、図２中（ａ），（ｄ）〜（ｅ）を用いて寄せ棟屋根プランを説明すると、前記切妻屋根プランと略同様に、図２中（ｄ）に示すように、長尺建物ユニット１８，１８と短尺建物ユニット１９とが重複する部分の整列継ぎ部２３の上部に、整列側屋根部としての前記大切妻屋根ユニット２６，２６が載置されて固定される。
【００３７】
また、短尺建物ユニット１９から前記長尺建物ユニット１８，１８が突出した部分の妻セットバック部２２の上部に、寄せ棟屋根プランを構成する妻側屋根部としての台形屋根ユニット２８，２８が吊り上げられて載置されて、前記補助梁２５，２５上に固定される。
【００３８】
更に図２中（ｅ）に示すように、前記大切妻屋根ユニット２６，２６及び台形屋根ユニット２８，２８間が雨仕舞されて、棟上げが略完了する。
【００３９】
このように、妻セットバック部２２に設けられている補助梁２５，２５が、妻セットバック部２２の上部に設置される妻側屋根部を支持する。
【００４０】
このため、妻セットバック部２２の上部に設置される小切妻屋根ユニット２７，２７或は台形屋根ユニット２８，２８を、整列継ぎ部２３の上部に設置される大切妻屋根ユニット２６，２６と独立させて設置する事が出来るので、施工時間が短く、略一日で雨仕舞まで完了することが出来、しかも、従来から用いられている矩形プランに対応する小切妻屋根ユニット２７，２７或は台形屋根ユニット２８，２８及び、大切妻屋根ユニット２６，２６を使用して、各種変形プランに対応させることも出来る。
【００４１】
また、前記補助梁２５，２５が、予め長尺建物ユニット１８，１８の天井面部１８ｂ，１８ｂに各々設けられている。このため、施工現場では、各建物ユニット配設後、直ちに、各屋根ユニット２６等の載置を行なうことが出来るので、更に施工時間を短縮することが出来る。
【００４２】
しかも、前記補助梁２５は、長尺建物ユニット１８の妻セットバック部２２の軒先側フレーム部材１８ａと平行に沿って、しかも、前記短尺建物ユニット１９の軒先側フレーム部材１９ａと略同一延長線上に位置するように、設けられているので、長尺建物ユニット１８の天井面１８ｂが、屋根部２４の荷重に充分耐える剛性を与えられて、従来から用いられている矩形プランに対応する各屋根ユニット２６，２７等が所定の重量を有していても、載置、固定できる。
【００４３】
そして、前記屋根部２４が、前記整列継ぎ部２３の上部に配設される大切妻屋根ユニット２６，２６と、前記妻セットバック部２２の上部に配設される小切妻屋根ユニット２７，２７或は、台形屋根ユニット２８，２８とを組み合わせて構成されているので、施工現場まで、独立して運搬して、載置後、雨仕舞を行なうことにより構成出来、運搬効率が良好である。
【００４４】
更に、長尺状の長尺建物ユニット１８，１８と短尺状の短尺建物ユニット１９とを隣接して載置し、長尺建物ユニットと短尺建物ユニットとが重複する部分の整列継ぎ部２３の上部に、大切妻屋根ユニット２６，２６を載置して固定すると共に、妻セットバック部２２の上部に、小切妻屋根ユニット２７，２７或は台形屋根ユニット２８，２８を載置して固定して、これらの大切妻屋根ユニット２６，２６及び、小切妻屋根ユニット２７，２７或は台形屋根ユニット２８，２８間を雨仕舞することにより、棟上げが略完了する。
【００４５】
このため、施工時間が短く、略一日で雨仕舞まで完了することが出来る。
【００４６】
以上、この発明の実施の形態１を図面により詳述してきたが、具体的な構成はこの実施の形態１に限らず、この発明の要旨を逸脱しない範囲の設計の変更等があってもこの発明に含まれる。
【００４７】
例えば、前記実施の形態１では、前記屋根部２４が、大切妻屋根ユニット２６，２６及び、小切妻屋根ユニット２７，２７或は台形屋根ユニット２８，２８等の屋根ユニットで構成されているが、特にこれに限らず、例えば、前記整列継ぎ部２３の上部に配設される屋根パネルユニットと、前記妻セットバック部２２の上部に配設される屋根パネルユニットとを組み合わせて構成されるようにしてもよい。
【００４８】
【発明の効果】
以上説明してきたように、この発明の請求項１記載のものによれば、妻セットバック部に設けられている補助梁が、該妻セットバック部の上部に設置される屋根部を支持する。
【００４９】
このため、妻セットバック部の上部に設置される屋根部を、整列継ぎ部の上部に設置される屋根部と独立させて設置する事が出来るので、施工時間が短く、略一日で雨仕舞まで完了することが出来、しかも、従来から用いられている矩形プランに対応する屋根部を使用して、変形プランに対応させることも出来る。
【００５０】
また、請求項２に記載されたものでは、前記補助梁が、予め該長尺建物ユニットの天井面部に設けられている。このため、施工現場では、各建物ユニット配設後、直ちに、屋根部の載置を行なうことが出来るので、更に施工時間を短縮することが出来る。
【００５１】
しかも、前記補助梁は、長尺建物ユニットの妻セットバック部の軒先側フレーム部材と平行に沿って、前記短尺建物ユニットの軒先側フレーム部材と略同一延長線上に位置するように、設けられているので、該長尺建物ユニットの天井面が、屋根部の荷重に充分耐える剛性を与えられて、従来から用いられている矩形プランに対応する屋根部が所定の重量を有していても、載置、固定できる。
【００５２】
そして、請求項３に記載されたものでは、前記屋根部が、前記整列継ぎ部の上部に配設される屋根ユニットと、前記妻セットバック部の上部に配設される屋根ユニットとを組み合わせて構成されているので、施工現場まで、独立して運搬して、載置後、雨仕舞を行なうことにより構成出来、運搬効率が良好である。
【００５３】
また、請求項４に記載されたものでは、前記屋根部が、前記整列継ぎ部の上部に配設される屋根パネルユニットと、前記妻セットバック部の上部に配設される屋根パネルユニットとを組み合わせて構成されているので、施工現場まで、独立して運搬して、載置後、雨仕舞を行なうことにより構成出来、運搬効率が良好である。
【００５４】
更に、請求項５に記載されたものでは、長尺建物ユニットと短尺建物ユニットとを隣接して載置し、長尺建物ユニットと短尺建物ユニットとが重複する部分の整列継ぎ部の上部に、整列側屋根部を載置して固定すると共に、該短尺建物ユニットから前記長尺建物ユニットが突出した部分の妻セットバック部の上部に、妻側屋根部を載置して固定して、前記整列側屋根部及び該妻側屋根部間を雨仕舞することにより、棟上げが略完了する。
【００５５】
このため、施工時間が短く、略一日で雨仕舞まで完了することが出来る、という実用上有益な効果を発揮する。
【図面の簡単な説明】
【図１】本発明の実施の形態１の建物の屋根取り付け構造及びその施工方法で、変形居室部の構成を説明する斜視図である。
【図２】実施の形態１の建物の屋根取り付け構造及びその施工方法で、各種プランに対応した施工順序を説明する模式図である。
【図３】従来例の玄関ポーチの屋根構造で、要部の斜視図である。
【図４】整列継ぎを説明する居室部を模式的に表わした斜視図である。
【図５】長短ユニット継ぎにより形成される変形居室部を模式的に表わした斜視図である。
【符号の説明】
１８    長尺建物ユニット
１８ａ  軒先側フレーム部材
１８ｂ  天井面部
１９    短尺建物ユニット
１９ａ  軒先側フレーム部材
２０    （変形）居室部
２２    妻セットバック部
２３    整列継ぎ部
２４    屋根部
２５    補助梁
２６，２６    大切妻屋根ユニット（整列側屋根部）
２７，２７    小切妻屋根ユニット（妻側屋根部）
２８，２８    台形屋根ユニット（妻側屋根部）
【図１】
0003704216.tif 000002
【図２】
0003704216.tif 000003
【図３】
0003704216.tif 000004
【図４】
0003704216.tif 000005
【図５】
0003704216.tif 000006